(57)【要約】      （修正有）【課題】操作部が取り付けられる位置等の事情に関わらずレリースワイヤの取り付けが容易となる排水装置を提供する。【解決手段】排水器１１の排水開口１２を覆う蓋部１４は浴槽からの排水が流入する流入口１５と、取り付け孔１６ａ、取り付け孔１６ｂを有している。作業者は施工の際、操作部が取り付けられる位置等の事情等に応じて、任意の取り付け孔１６ａ，ｂに平面視任意の角度で蓋部に配置されてレリースワイヤを蓋部内に導入する略Ｌ字状に屈曲したレリースガイド２０を配置する。【選択図】図３
2019218854.tif 000002
【特許請求の範囲】
【請求項１】
底部に排水口が形成された浴槽と、
排水口を開閉する弁体と、
操作部の操作を伝達することで排水口を開閉させるレリースワイヤと、
浴槽に生じた排水が流入する排水開口を有する、フランジ部材によって浴槽パンの開口に取り付けられる排水器と、
排水開口を覆う蓋部から成る排水装置であって、
蓋部は浴槽からの排水が流入する流入口と、
フランジ部材の上面外周が、全周に亘って浴槽パン上面と連続すると共に、
平面視任意の角度で蓋部に配置されてレリースワイヤを蓋部内に導入するように屈曲したレリースガイドを有することを特徴とする排水装置。
【請求項２】
前記レリースガイドが、蓋部に対して回動自在に配置されることを特徴とする請求項１に記載の排水装置。
【請求項３】
前記蓋部が平面視回動自在に取り付けられ、
前記流入口の中心が、蓋部の中心とは異なる位置であることを特徴とする請求項１又は請求項２に記載の排水装置。
【発明の詳細な説明】
【技術分野】
【０００１】
本発明は、浴槽や防水パン上に生じた排水を下流側へと排出する排水装置に関するものである。
【背景技術】
【０００２】
特許文献１に記載の排水装置は、浴槽や防水パン上に生じた排水を、排水器（排水装置本体）を介して下流側へ排水を排出する構造となっている。浴槽は略箱状の槽体であって、底部に排水栓が取り付けられて排水口が形成されており、当該排水口には弁体（弁部材）が配置されている。弁体はレリースワイヤの一端が連結しており、レリースワイヤの他端が連結された操作部の操作が伝達されることにより上下動し、排水口の開閉を行うことが可能となっている。
排水器は浴槽や防水パン上に生じた排水が流入するための排水開口（開口部）が上面に開口しており、当該排水開口は蓋部によって覆われている。
蓋部（カバー部材）が浴槽からの排水が流入するための流入口（接続口）と、レリースワイヤが挿通されるための挿入管を有している。そして、当該挿入管には中空のチューブ体であるガイドチューブが接続され、当該ガイドチューブを通じて挿入管によりレリースワイヤが導入され、レリースワイヤの一端が弁体に接続される構造となっている。
【０００３】
上記特許文献１に記載の排水装置は、以下のように施工される。
まず、浴槽の上縁に操作部を、浴槽の底面に排水栓を、防水パンの開口に排水器をそれぞれ取り付け固定する。次に、排水器の開口部に蓋部を取り付けた後、浴槽を防水パン上に載置する。そして、ガイドチューブを挿入管に取り付け、当該ガイドチューブを通じてレリースワイヤの弁体側端部を挿入管に挿入し、弁体と連結させる。
【先行技術文献】
【特許文献】
【０００４】
【特許文献１】特開２０１２−１０２５７６号公報
【発明の概要】
【発明が解決しようとする課題】
【０００５】
上記排水装置はレリースワイヤを蓋部に挿通させる際、浴槽下方の狭いスペース内で作業を行わなければならない。そこで、特許文献１に記載の排水装置は蓋部に挿入管を設けることで施工性を向上させているが、当該蓋部は操作部が取り付けられる位置等の事情に応じて挿通管の向きを調整して配置を行う必要がある。又、特許文献１に記載の排水装置は上記手順によって施工を行うことから、レリースワイヤを蓋部に挿通する前に、挿通管の向きが固定されている。従って、レリースワイヤの挿通時に、レリースワイヤの挿通方向と挿通管の方向が異なると施工が困難となるとともに、レリースワイヤが過度に屈曲し、破損する虞があることから、一度浴槽を持ち上げて蓋部の角度を調整する必要があった。又、特許文献１に記載の排水装置は流入口が蓋部の中心と異なる位置に開口しているため、蓋部を回転させて取り付けると、流入口が浴槽の排水口と合致しない虞がある。
又、その他の構造として、操作部が取り付けられる位置等の事情に応じ、作業者が現場にて適宜蓋部上に孔を形成し、レリースワイヤを挿通してゴムブッシュにて固定を行う構造が知られている。しかし、当該構造においては、浴槽下方の狭いスペースで作業を行う必要があるとともに、作業者が孔を形成する工程が必要である、ガイドチューブが取り付けられない等の問題が生じる。
【０００６】
そこで、本発明は上記問題に鑑み、操作部が取り付けられる位置等の事情に関わらずレリースワイヤの取り付けが容易となる排水装置の提供を課題とする。
【課題を解決するための手段】
【０００７】
上記課題を解決するための請求項１に記載の本発明は、底部に排水口が形成された浴槽と、
排水口を開閉する弁体と、
操作部の操作を伝達することで排水口を開閉させるレリースワイヤと、
浴槽に生じた排水が流入する排水開口を有する、フランジ部材によって浴槽パンの開口に取り付けられる排水器と、
排水開口を覆う蓋部から成る排水装置であって、
蓋部は浴槽からの排水が流入する流入口と、
フランジ部材の上面外周が、全周に亘って浴槽パン上面と連続すると共に、
平面視任意の角度で蓋部に配置されてレリースワイヤを蓋部内に導入するように屈曲したレリースガイドを有することを特徴とする排水装置である。
【０００８】
請求項２に記載の本発明は、前記レリースガイドが、蓋部に対して回動自在に配置されることを特徴とする請求項１に記載の排水装置である。
【０００９】
請求項３に記載の本発明は、前記蓋部が平面視回動自在に取り付けられ、
前記流入口の中心が、蓋部の中心とは異なる位置であることを特徴とする請求項１又は請求項２に記載の排水装置である。
【発明の効果】
【００１０】
請求項１に記載の本発明によれば、平面視任意の角度で蓋部に配置されたレリースガイドを設けることにより、操作部が取り付けられる位置等の事情に応じ、作業者は適宜レリースガイドの方向を調整することで施工性が向上する。
請求項２に記載の本発明によれば、レリースガイドが回動自在であることから、施工性が更に向上する。
請求項５に記載の本発明によれば、使用されない取り付け孔を栓部材によって塞ぐことによって排水の逆流を防止することが可能となる。
又、上記請求項１又は請求項２に記載の本発明は、請求項３に記載の排水装置のように、蓋部が回動自在であるが、蓋部を回転させてしまった場合に、流入口が浴槽の排水口と合致しない虞がある排水装置に採用された際に、特に施工性を向上させる。
【図面の簡単な説明】
【００１１】
【図１】本発明の施工状態の一例を示す断面図である。
【図２】排水器を示す断面図である。
【図３】排水器及び蓋部の構成を示す分解斜視図である。
【図４】レリースガイドと逆止め弁の配置の一例を示す斜視図である。
【図５】レリースガイドと逆止め弁の配置の他の例を示す斜視図である。
【図６】操作部を示す断面図である。
【図７】本発明が施工される浴室の構造を示す参考図である。
【図８】排水トラップを示す平面図である。
【図９】第二実施形態の施工状態の一例を示す断面図である。
【図１０】レリースガイドと逆止め弁の配置の一例を示す斜視図である。
【図１１】第三実施形態の排水器及び蓋部の構成を示す分解斜視図である。
【発明を実施するための形態】
【００１２】
以下、図面を参照しながら本発明の排水配管を説明する。尚、以下に記載する説明は実施形態の理解を容易にするためのものであり、これによって発明が制限して理解されるものではない。又、以下の実施形態においては、図１に示す状態を基準として上下左右を説明する。
【００１３】
本発明の排水装置は、図１に示すように、洗い場Ｗ及び浴槽１を有する浴室ＢＲに用いられる。尚、浴室ＢＲは大きく分けて防水パン、浴槽１、排水トラップ１０、排水栓装置４０より構成されており、防水パンの下方には排水トラップ１０が、防水パンの上方には浴槽１がそれぞれ配置されている。
【００１４】
防水パンは板状であって、上方に浴槽１が載置される浴槽パンＰＢと、洗い場Ｗの床面を形成する洗い場パンＰＷから構成されている。
浴槽パンＰＢは浴槽１側の防水パンであって、浴槽１や浴槽パンＰＢ上に生じた排水を排出するための排水器１１が取り付けられる開口を有している。
洗い場パンＰＷはシャワーや吐水栓が備えられた洗い場側の防水パンであって、洗い場パンＰＷ上に生じた排水を排出するためのトラップ本体３０が取り付けられている。
【００１５】
浴槽１は内部に水等を貯留可能な槽体であって、上縁から略水平方向に延設された縁部３に排水栓装置４０の操作部５０が取り付けられている。又、浴槽１は底部に排水口２ａが開口しており、排水口２ａには排水栓４が連通されている。
排水栓４は上端に設けられた鍔部と、鍔部下方から延設された筒状部分を有し、鍔部が排水口２ａ周縁に当接するとともに、筒状部分に形成された雄螺子部が浴槽１裏面に配置されたナット５の雌螺子部と螺合している。又、排水栓４は内部に排水流路を形成するとともに、筒状部分内部にワイヤ受け６が取り付けられており、当該ワイヤ受け６にレリースワイヤ４１の弁軸４４が固定されている。
ナット５は上端及び下端に鍔部を有し、内周に形成された雌螺子部によって排水栓４の雄螺子部と螺合している。上端側の鍔部は浴槽１の裏面に当接しており、当該上端側の鍔部と排水栓４の鍔部によって浴槽１の排水口２ａの周縁を挟持している。下端側の鍔部には蛇腹パッキン７が嵌着している。
蛇腹パッキン７は中程において蛇腹部を有しており、下端が後述する蓋部１４の流入口１５の内部に挿入されている。
【００１６】
排水トラップ１０は排水器１１、蓋部１４、トラップ本体３０より構成されている。
【００１７】
排水器１１はフランジ部材８ａによって浴槽パンＰＢの開口に取り付けられており、排水開口１２、枝管排出口１３が形成されている。
排水開口１２は排水器１１の上方が開放されることによって形成され、平面視円形であって内周に雌螺子部が形成されている。又、排水開口１２はフランジ部材８ａの雄螺子部と螺合することで、フランジ部材８ａの鍔部と排水開口１２外周の鍔部によって浴槽パンＰＢの開口周縁を挟持している。又、排水開口１２は蓋部１４によって覆われている。
枝管排出口１３は排水器１１の底面から略水平方向に延設された流路であり、排水器１１内に流入した排水をトラップ本体３０の枝管流入口３２へと排出する。
【００１８】
蓋部１４はフランジ部材８ａに取り付けられて排水開口１２を覆う蓋部材であり、平面視略円形であって外周にパッキンが嵌着され、図３に示すように、天面において流入口１５、取り付け孔１６ａ、取り付け孔１６ｂが開口している。パッキンの外径はフランジ部材８ａの内径と略同一となっており、蓋部１４外周とフランジ部材８ａは水密状態となっている。又、蓋部１４は排水開口１２（フランジ部材８ａ）に対して平面視において回動自在に取り付けられる。
流入口１５は上記蛇腹パッキン７の下端が挿入されており、浴槽１の排水が蛇腹パッキン７を通じて流入する。又、流入口１５の中心は蓋部１４及び排水開口１２、フランジ部材８ａの中心とは異なる位置にあるため、蓋部１４を回転させると流入口１５の位置は変化する。
取り付け孔１６ａ及び取り付け孔１６ｂは同一の形状を有する平面視円形の開口であり、流入口１５を挟んで対向する位置に設けられている。図４に示すように、取り付け孔１６ａにはレリースガイド２０が配置され、当該レリースガイド２０によって導入されたレリースワイヤ４１が挿通されている。一方、取り付け孔１６ｂには逆止め弁２１が配置されている。尚、以降の記載において、取り付け孔自体を指す際は「取り付け孔１６」と記載する。
【００１９】
ここで、上記図４において、レリースガイド２０は取り付け孔１６ａに、逆止め弁２１は取り付け孔１６ｂにそれぞれ取り付けられているが、取り付け孔１６ａと取り付け孔１６ｂは同一の形状である。従って、図５に示すように、レリースガイド２０を取り付け孔１６ｂに、逆止め弁２１を取り付け孔１６ａに取り付けても良く、作業者は現場の様態に合わせ、レリースガイド２０を取り付けてレリースワイヤ４１を挿通するための取り付け孔１６を選択することが可能である。
【００２０】
レリースガイド２０はゴム・シリコン等の軟質素材から成る断面視略L字状に屈曲した曲がり管であり、内部にレリースワイヤ４１が挿通されている。レリースガイド２０の一端は取り付け孔１６ａに対して平面視において回動自在に挿入されており、図１又は図２に示す施工状態において、レリースガイド２０の他端はガイドチューブ４５内に挿入されている。ここで、レリースガイド２０は軟質素材から成ることから、ガイドチューブ４５、レリースガイド２０、取り付け孔１６ａはそれぞれ水密に連結されている。
逆止め弁２１は上流からの排水は通過させるが、下流側からの排水の逆流を防止する弁部材であり、図３に示すように軸２２、フロート２３より成り、取り付け孔１６ｂ内に挿入されている。軸２２は逆止め弁２１の中心において天地方向に設けられており、フロート２３の上下動をガイドする。フロート２３は比重が１より小さい材質より成る平面視円形であり、軸２２に挿通されている。フロート２３は排水器１１からの逆流が生じた際に浮上し、逆止め弁２１の天面に設けられた開口を閉塞することで排水器１１内部の排水が浴槽パンＰＢ上に逆流することを防ぐ。
【００２１】
トラップ本体３０はフランジ部材８ｂによって洗い場パンＰＷの底部に形成された排水口２ｂに取り付けられており、椀部３１、枝管流入口３２、排出口３３が形成され、上方より防臭筒３４が挿入されている。
トラップ本体３０は上方が開放されているとともに内周に雌螺子部が形成されており、フランジ部材８ｂの雄螺子部と螺合することで洗い場パンＰＷの排水口２ｂ周縁を挟持している。尚、排水口２ｂは洗い場パンＰＷの最も低い位置に配置されており、洗い場パンＰＷ上に生じた排水は全て排水口２ｂよりトラップ本体３０内に流入する。
椀部３１はトラップ本体３０の底面より立ち上げられた筒状の壁部によって形成され、内部に排水の一部を貯留することができる。
枝管流入口３２は椀部３１の底面よりトラップ本体３０の外側に向けて略水平方向に形成されており、排水器１１の枝管排出口１３が接着されている。従って、トラップ本体３０と排水器１１は枝管流入口３２を介して連通しており、内部に貯留された排水を共有する。
排出口３３は椀部３１から溢れた排水を下流側の配管へと排出する開口であり、下流側の配管が接続されている。
防臭筒３４は上部に鍔部分を有する略筒状体であり、当該鍔部分が前記フランジ部材８ｂに係合し、その下端が椀部３１内に配置されている。
【００２２】
排水栓装置４０はレリースワイヤ４１、ガイドチューブ４５、操作部５０、弁体５４より構成されている。
図６に示すように、レリースワイヤ４１はインナーワイヤ４２、アウターチューブ４３より構成され、軸方向に剛性を有するとともに側面方向に可撓性を有しており、その一端が操作部５０に、他端に弁軸４４が設けられている。インナーワイヤ４２は金属をコイル状に巻いた撚り線であって、合成樹脂より成る中空のアウターチューブ４３内を摺動可能となっている。弁軸４４はワイヤ受け６に固定されているとともに端部が弁体５４に係合しており、インナーワイヤ４２が弁体５４側に突出した際に弁体５４を突き上げて上昇させ、インナーワイヤ４２が操作部５０側に後退した際には弁体５４を引き下げて下降させる。
ガイドチューブ４５は一端が操作部５０に、他端がレリースガイド２０に取り付けられた中空のチューブ体であり、内部にレリースワイヤ４１が挿通されている。
操作部５０は浴槽１の縁部３に固定されており、ケーシング５１内部にボタン部材５２及びロック機構５３が配置され、下端にガイドチューブ４５が取り付けられている。ボタン部材５２は使用者によって押動操作が加えられる部分であって、縁部３より浴室ＢＲ内に露出している。又、ボタン部材５２の裏面はロック機構５３と係合しており、使用者による押動操作をロック機構５３へと伝達する。ロック機構５３は上端においてボタン部材５２と、下端においてレリースワイヤ４１とそれぞれ連結しており、内部に配置されたギアの係合によって、ボタン部材５２の押動操作毎にインナーワイヤ４２の突出／後退位置を保持することができる。
図２に示すように弁体５４は周囲にパッキンが嵌着された蓋体であって、裏面において弁軸４４が係合されている。弁体５４は操作部５０の押動操作に基づいて上下動し、下降時にはパッキンが排水栓４と当接することによって浴槽１の排水口２ａから連続する排水流路を閉塞し、上昇時にはパッキンが排水栓４から離間することで排水口２ａから連続する排水流路を開放する。
【００２３】
以下に、上記排水装置の施工について説明する。
【００２４】
まず、工場等において、排水器１１の枝管排出口１３とトラップ本体３０の枝管流入口３２を接着する。
次に、現場においてフランジ部材８ａと排水器１１を螺合させて浴槽パンＰＢの開口に排水器１１を、フランジ部材８ｂとトラップ本体３０を螺合させて洗い場パンＰＷの排水口２ｂにトラップ本体３０を取り付ける。又、フランジ部材８ａに蓋部１４を嵌合させて排水器１１の排水開口１２を覆う。この時、浴槽を載置する際に、後述する浴槽１に取り付けた蛇腹パッキン７が流入口１５に合致するように、蓋部１４を回転させその方向を調整しておく。流入口１５が蓋部１４の回転の中心に無いために、上記のように蓋部１４の方向を調整する必要が生じるが、このようにして蓋部１４の方向を決定すると、必然的に取り付け孔１６ａ及び取り付け孔１６ｂの方向及び位置も決定されることとなる。
次に、一方の取り付け孔１６にレリースガイド２０を、他方の取り付け孔１６に逆止め弁２１を挿入し、取り付ける。
ここで、作業者はレリースガイド２０を挿通する任意の取り付け孔１６を、現場にて適宜選択する。図７及び図８を用いて詳述すると、上記のように取り付け孔１６ａ及び取り付け孔１６ｂの方向が定まっているため、それに合わせて、操作部５０が縁部３のＲ側に配置される際には取り付け孔１６ａにレリースガイド２０を配置し、取り付け孔１６ｂに逆止め弁２１を配置する。対して、操作部５０が縁部３のＬ側に配置される際には取り付け孔１６ｂにレリースガイド２０を配置し、取り付け孔１６ａに逆止め弁２１を配置する。
次に、排水口２ａに排水栓４、ナット５、蛇腹パッキン７を取り付け、縁部３に操作部５０のケーシング５１を取り付けた浴槽１を浴槽パン上に載置する。この時、蛇腹パッキン７の下端が流入口１５内に挿入され、浴槽１内の排水は全て流入口１５より排水器１１の内部に流入する。
次に、ガイドチューブ４５の一端をケーシング５１下端に、他端をレリースガイド２０に取り付ける。この時、レリースガイド２０は蓋部１４に対して回動自在に取り付けられているため、レリースガイド２０の角度を調整し、ガイドチューブ４５を取り付け易い方向にレリースガイド２０を配置してからガイドチューブ４５を取り付けることができる。
そして、ケーシング５１の上方からレリースワイヤ４１、ロック機構５３を挿入し、弁軸４４をワイヤ受け６に固定する。この時、ケーシング５１の上方から挿入されたレリースワイヤ４１は、ガイドチューブ４５とレリースガイド２０によって蓋部１４内に導入される。
最後に、弁軸４４に弁体５４を、ロック機構５３端部にボタン部材５２を係合させて施工が完了する。
【００２５】
本発明の第一実施形態は以上であるが、本発明によれば、蓋部１４が取り付け孔１６ａ、取り付け孔１６ｂを有し、作業者が現場にてレリースガイド２０を配置する取り付け孔１６を適宜選択することが可能となっている。従って、操作部５０が取り付けられる位置等の事情に関わらずレリースワイヤ４１の取り付けが容易となる。又、任意の取り付け孔１６にレリースガイド２０が配置された際、他方の取り付け孔１６に逆止め弁２１を配置することにより、排水器１１から浴槽パンＰＢ上への逆流を防ぐことができる。
更に、本発明においては略L字状のレリースガイド２０を取り付け孔１６に対して平面視において回動自在に取り付けられているため、レリースワイヤ４１が施工し易い方向にレリースガイド２０の向きを適宜調整することが可能となり、施工性が更に向上するとともに、レリースワイヤ４１が過度に屈曲することを防ぐことができる。
【００２６】
ここで、本発明は上記第一実施形態にて記載した形状に限定されるものではなく、発明の要旨を逸脱しない範囲において適宜変更可能である。例えば、上記第一実施形態において、レリースガイド２０端部にはガイドチューブ４５が取り付けられていたが、図９及び図１０に示す第二実施形態のように、レリースガイド２０の端部にゴムブッシュ６０を取り付け、レリースワイヤ４１を固定する構造であっても良い。この場合においても、レリースガイド２０が回動自在に取り付けられているため、レリースワイヤ４１が施工し易い方向にレリースガイド２０の向きを適宜調整し、レリースワイヤ４１を蓋部１４内に導入することが可能となり、施工性が更に向上する。
又、レリースガイド２０を設けることなく、任意の取り付け孔１６にゴムブッシュを配置してレリースワイヤ４１を当該取り付け孔１６に挿通しても良い。
【００２７】
又、図１１に示す第三実施形態のように、取り付け孔１６ｃを設ける等、三つ以上の取り付け孔１６を設け、作業者が任意の取り付け孔１６を選択可能にしても良い。尚、この場合においては、使用されない取り付け孔１６を閉塞するための栓部材７０を備えても良い。
【００２８】
又、レリースガイド２０は取り付け孔１６ａに対して平面視において回動自在に挿入されていたが、レリースガイド２０の端部が上下方向に対して可動する等して、上下方向にも傾きを調整することが可能であっても良い。
又、レリースガイド２０端部に角度調節のための凹凸を設け、平面視において任意の角度毎にレリースガイド２０の向きを調整可能であっても良い。
【符号の説明】
【００２９】
１                      浴槽
２ａ、２ｂ              排水口
３                      縁部
４                      排水栓
５                      ナット
６                      ワイヤ受け
７                      蛇腹パッキン
８ａ、８ｂ              フランジ部材
１０                    排水トラップ
１１                    排水器
１２                    排水開口
１３                    枝管排出口
１４                    蓋部
１５                    流入口
１６ａ、１６ｂ、１６ｃ  取り付け孔
２０                    レリースガイド
２１                    逆止め弁
２２                    軸
２３                    フロート
３０                    トラップ本体
３１                    椀部
３２                    枝管流入口
３３                    排出口
３４                    防臭筒
４０                    排水栓装置
４１                    レリースワイヤ
４２                    インナーワイヤ
４３                    アウターチューブ
４４                    弁軸
４５                    ガイドチューブ
５０                    操作部
５１                    ケーシング
５２                    ボタン部材
５３                    ロック機構
５４                    弁体
６０                    ゴムブッシュ
７０                    栓部材
ＢＲ                    浴室
Ｗ                      洗い場
ＰＢ                    浴槽パン
ＰＷ                    洗い場パン
【図１】
2019218854.tif 000003
【図２】
2019218854.tif 000004
【図３】
2019218854.tif 000005
【図４】
2019218854.tif 000006
【図５】
2019218854.tif 000007
【図６】
2019218854.tif 000008
【図７】
2019218854.tif 000009
【図８】
2019218854.tif 000010
【図９】
2019218854.tif 000011
【図１０】
2019218854.tif 000012
【図１１】
2019218854.tif 000013